(57)【要約】【課題】介護用装置によりベットから車椅子への移動、及び浴槽への出入りに際し、身体障害者が、ベットから浴槽への出入りや車椅子への乗り降りに使用する補助装置である。介護者にとって身体障害者が浴槽に浸かったり、浴槽から出てベットへ入る入浴の介助、車椅子の上に乗り降りするときにベットから車椅子の間の介助の労力を軽減する。【解決手段】ベットに設けた支柱２若しくはベット１が置かれた室内に起立した支柱２上に左右レール３を設け、両レール上を転動するローラ５を軸支してあるプーリケース４の左右に重り７を設けて、重りに連結してあるワイヤー６に支重装置を連結する事により、少ない労力で身体障害者を支重する事が出来るようにした。支重装置は、ワイヤー６に連結したフックにより、着脱する事が出来るようにしてあり、浴槽に入れる入浴介護装置であると共に、車椅子の上に載せて、車椅子と一体にして身体障害者が乗る事も出来る。【選択図】図１
2004049664.tif 000002
【特許請求の範囲】
【請求項１】
ベットに設けた支柱若しくはベットが置かれた室内に設置してある支柱上に左右レールをベットの長手方向に設け、両レール上を転動するローラを軸支したプーリケースの左右に重りを設け、この重りを用いて重りに連結したワイヤーの他の一端に支重装置を着脱自在に取り付け、体重の重い身体障害者を支重するものであって介護者の介助を要する入浴並びに車椅子の介助に兼用出来る支重装置を備えた入浴並びに車椅子介護用補助装置。
【請求項２】
支重装置は、座面、側面、背面の各フレーム単位で着脱可能な連結部により連結された折り畳み収納が容易に出来るようにした事を特徴とする請求項１に記載の入浴並びに車椅子介護用補助装置。
【請求項３】
支重装置のフレームにネットを張って連結部を連結し、身体障害者の入浴並びに車椅子の利用に際して車椅子の座部に支重装置を一体に設置若しくは分離可能にしてある事を特徴とする請求項１又は請求項２のいずれか各項に記載の入浴並びに車椅子介護用補助装置。
【請求項４】
減速機付きモータをプーリケースに設けて、一端を支重装置に連結しもう一方を重りに連結しているワイヤーを前記のモータにより駆動する駆動装置を備えていることを特徴とする請求項１に記載の入浴並びに車椅子介護用補助装置。
【発明の詳細な説明】
【０００１】
【発明の属する技術分野】本発明に係る入浴並びに車椅子介護用補助装置は、身体障害者の入浴並びに車椅子の使用を介助し、体重を支えてベットから浴槽への入浴、並びにベットと車椅子の間を移動する被介護者の体重を支重する介護用補助装置として利用されることを目的とするものである。
【０００２】
【従来の技術】入浴介助或いは車椅子介助は、被介護者にとっても自力では困難な力を要し、介護者にとっても最も労力が大きくなる奉仕である。両者にとっては、入浴も散歩も本来的には楽しい闘病生活を象徴するものであるが、体力の衰えには逆らえず、楽しい快適な闘病生活への憧れと相克する体力の衰えを身に滲みて痛感しているところ、ベットに寝たきりの身体障害者の為の入浴装置或いは車椅子への移動装置については、多くの開発例がある。
【０００３】例えば、特開平０５−１７６９５９号公開特許公報に記載の発明は、ベットに車椅子が嵌合される一体型ベットである。特開平０９−０１９４６４号公開特許公報に記載の発明は、ベット或いは車椅子へ身体障害者を移動させる介護リフトである。特開平１１−２２１２６２号，特開２０００−３０００６１４号，特開２００１−１６１７５２号，特開２００１−６１８９８号，特開２００１−２９３９３号等の公開特許公報に記載の発明等は、いずれも座席分離可能であって、楽に身体障害者をベットに移す機能を備えている。
【０００４】
【発明が解決しようとする課題】本発明は、身体障害者が入浴並びにベットから車椅子への移動、及び浴槽への出入りに、身体障害者の支重装置を備えるようにした介護用補助装置を提供しようとするものである。これは、老齢化社会において介護を要する身体障害者の闘病生活は、介護者の奉仕に依存せざるを得ず、介護者の労力に余る体重のある身体障害者が、ベットから浴槽への出入りや車椅子への乗り降りの際に介護者の労力が大きくなるのでこれを補助するために使用する介護用補助装置である。介護者にとっては身体障害者が浴槽に浸かったり、浴槽から出てベットへ入る入浴の際には、身体障害者の体重を持ち上げる労力が大きく、又身体障害者が散歩等のために車椅子の上に乗り降りするときにベットから車椅子の間の移動に支重介助を要する。身体障害者も介護者も不安のない闘病生活が出来る補助装置が望まれている。
【０００５】
【課題を解決するための手段】本発明に係る入浴並びに車椅子介護用補助装置は、ベットに設けた支柱若しくはベットが置かれた室内に設置してある支柱上に左右レールをベットの長手方向に設け、両レール上を転動するローラを軸支してあるプーリケースの左右に重りを設けて、重りに連結してある吊り上げワイヤーに支重装置を連結する事により、少ない労力で身体障害者を吊り上げる事が出来るようにした。支重装置は、吊り上げワイヤーに連結したフックにより、着脱する事が出来るようにしてあり、入浴の際には浴槽に入れることが出来る入浴介護装置であると共に、車椅子の上に載せて、車椅子と一体にして身体障害者が乗る事も出来るようにしたものである。
【０００６】請求項１に記載の発明は、ベットに設けた支柱若しくはベットが置かれた室内に設置してある支柱上に左右レールをベットの長手方向に設け、両レール上を転動するローラを軸支したプーリケースの左右に重りを設け、この重りを用いて重りに連結したワイヤーの他の一端に支重装置を着脱自在に取り付け、体重の重い身体障害者を支重するものであって介護者の介助を要する入浴並びに車椅子の介助に兼用出来る支重装置を備えた入浴並びに車椅子介護用補助装置である。
【０００７】請求項２に記載の本発明の実施態様は、入浴並びに車椅子介護用補助装置において前記のワイヤーの一端に連結される支重装置の構成の特徴を示し、その支重装置は、座面、側面、背面の各フレーム単位で着脱可能な連結部により連結された折り畳み収納が容易に出来るようにした事を特徴とするものである。
【０００８】請求項３に記載の本発明の実施態様は、前記の支重装置のフレームにネットを張って連結部を連結し、身体障害者の入浴並びに車椅子の利用に際して車椅子の座部に支重装置を一体に設置若しくは分離可能にしてある事を特徴とするものである。
【０００９】請求項４に記載の本発明の実施態様は、請求項１に記載の入浴並びに車椅子介護用補助装置において、減速機付きモータをプーリケースに設けて、一端を支重装置に連結しもう一方を重りに連結しているワイヤーを前記のモータにより駆動する駆動装置を備えていることを特徴とするものである。
【００１０】
【発明の実施の形態】本発明の技術的思想は、実施例において次に記載の構成に具体化されている。
【００１１】ベットに設けた支柱若しくはベットが置かれた室内に設置してある支柱上に左右レールをベットの長手方向に設け、両レール上を転動するローラを軸支してあるプーリケースの左右に重りを設けて、重りに連結してある吊り上げワイヤーに支重装置を連結する事により、少ない労力で身体障害者を支重して、レール幅内で自由に移動する事が出来るようにした。
【００１２】支重装置は、一端にフックを設けたワイヤーをプーリケース内を通してプーリを介して重りに連結してあり、重りによって支重装置にかかる身体障害者の体重を支えて、プーリケースに軸支したローラによってレール上を自由に移動出来るようにしてあるものである。ワイヤーの一端に設けたフックにより、支重装置のフック穴に着脱する事が出来る。
【００１３】支重装置は、座面、側面、背面をフレームで構成して、そこには水切りのよいネットを張ってあり、それぞれのフレームは連結部で着脱する構成にして、分離して干したり又折り畳んで収納する事が容易に出来るものである。
【００１４】支重装置は、入浴の際には浴槽に入れても水切りのよい合成樹脂製繊維素材で作られたネットである事が望ましい。従って、身体障害者は支重装置と一緒に入浴することが出来る。
【００１５】支重装置を車椅子の上に載せて、車椅子と一体にして身体障害者が乗る事も出来るようにした。実施例の図面において、支重装置の背面フレームは直線に描いてあるが、背面のフレームは、入浴する場合又車椅子に載せた場合に背に当たる所であるから、背に当たる上部フレームは曲げて背もたれを外に出るようにする事も必要である。
【００１６】実施例は、図示しないが減速機付きモータをプーリケースに設置して、ケース内のプーリを介して支重装置と重りとを連結しているワイヤーを前記のモータにより駆動するようにして、介護者の一層の労力を軽減する事が出来る。
【００１７】
【実施例】添付図面は、本発明の１実施例について図示している。図１は、本発明に係る入浴並びに車椅子介護用補助装置の１実施例の斜視図、図２は、身体障害者の体重を支えている支重装置をワイーヤーから分離して載置した車椅子の斜視図、図３は、同上側面図、図４は、支重装置の展開平面図、図５は、支重装置の座面底部を表わす底面図、図６は、ワイヤーの一端に設けたフックをかけてある支重装置の斜視図、図７は、支重装置の座面フレームとこれに連結した側面フレームの連結部の構造図（座面フレームと背面フレームとの連結部も同じ構造）、図８は、支重装置の載置の為の座部を有する車椅子の斜視図をそれぞれ示すものである。図面に基づいて、本発明の実施例について詳細に説明する。
【００１８】
【実施例】図１に基づいて説明すれば、ベット１に設けた支柱２若しくはベットが置かれた室内に設置してある支柱２上に左右レール３をベットの長手方向に設け、両レール３上を転動するローラ５を軸支してあるプーリケース４の左右に重り７を設けて、重り７に連結してある吊り上げワイヤー６に支重装置２０を連結する事により、少ない労力でレール幅内を自由に移動する事が出来る。
【００１９】支重装置２０は、一端にフックを設けたワイヤー６をプーリケース４内を通してプーリ１９を介して重り７に連結してあり、重り７によって支重装置２０にかかる身体障害者の体重を支え、体重の大小により重りの交換をする事も出来る。減速機付きモータをプーリケース４に設けて、モータ駆動により前記のワイヤーを駆動する駆動装置を設ける事も出来る。
【００２０】支重装置２０は、プーリケース４に軸支したローラ５によってレール上を自由に移動出来る。ワイヤーの一端に設けたフックにより、支重装置のフック穴１７にワイヤーを着脱する事が出来る。
【００２１】支重装置は、座面１２、側面１３、背面１４をフレームで構成して、そこには水切りのよいネットを張ってあり、それぞれのフレームは連結部構造の軸で連結される。図７に基づいて説明すれば、連結部の軸２２を着脱する構成にして、底面フレームと側面フレーム、底面フレームと背面フレームは、使用上の便宜のために着脱自在な構造にしてある。連結部の軸２２を抜いてそれぞれ分離して干したり又連結部で折り畳んで収納する事が容易である。フレームに張ったネットの補強に必要ならば、ベルトを張ってもよい。
【００２２】
【実施例の作用】支重装置２０は、入浴の際或いは車椅子に乗る際に、重りが一方についているワイヤー６で軽く吊り上げる事が出来る。寝室が広い場合には、浴槽又は車椅子はベット１の外側に置いても差し支えない。寝室が狭い場合には、ベット１の平面に切り欠き部を設け、その上に蓋２１を設けて、切り欠き部の中に浴槽を入れること又そこに車椅子を入れることが出来るようにしておく必要がある。
【００２３】支重装置を車椅子と一体にする場合には、車椅子の座部の構造を少し変更する必要がある。即ち、実施例の図８において図示している車椅子８の構成は、そのワイヤー６を緩めて車椅子８の座部９に設けたガイド１１に沿って支重装置を降ろし、支重装置底面に出ている突起１８をガイド穴１０に嵌合させて、支重装置２０を車椅子の座部９に設置して、身体障害者が乗る事も出来るようにした。背もたれ２３は、支重装置の背面フレーム１４が後方に倒れないようにそれを支えるものとして作用することになる。
【００２４】
【発明の効果】本発明に係る入浴並びに車椅子介護用補助装置の効果は、請求項１乃至請求項４の各項に記載の構成により、次に記載の効果を奏するものである
。
【００２５】本発明に係る入浴並びに車椅子介護用補助装置は、重りを用いて重りに連結したワイヤーの他の一端に支重装置を着脱自在に取り付けたものであるから、体重の重い身体障害者であって介護者の介助を要する入浴並びに車椅子の乗車の労力を軽減して、体重を支重し入浴用としても、又車椅子に乗車用としても兼用出来る補助装置である。
【００２６】支重装置は、座面、側面、背面の各フレーム単位で着脱可能な連結部により連結された折り畳み式であるため、折り畳み収納が容易に出来るものである。
【００２７】支重装置のフレームにネットが張ってあるために身体障害者の入浴に際して吊り上げて浴槽に入れるために使用する事が出来、分離して干して乾燥が早く並びに車椅子の座部に支重装置を一体に設置して兼用も出来るものである。
【００２８】本発明は、特に体重の重い身体障害者の入浴並びに車椅子への乗車降車に際して、介護者にとって労力が軽減される。
【００２９】入浴並びに車椅子介護用補助装置の支重機能により、日常的な入浴や散歩のために身体障害者も介護者も労力が軽減されて不安のない闘病生活が出来る。
【図面の簡単な説明】
【図１】実施例の斜視図
【図２】支重装置を載置した車椅子の斜視図
【図３】同上側面図
【図４】支重装置の展開平面図
【図５】支重装置の座面底部を表わす底面図
【図６】支重装置の斜視図
【図７】支重装置の座面フレームとこれに連結した側面フレームの連結部の構造図
【図８】支重装置の載置の為の座部を有する車椅子の斜視図
【符号の説明】
１．．．ベット．
２．．．支柱
３．．．レール
４．．．プーリケース
５．．．ローラ
６．．．ワイヤー
７．．．重り
８．．．車椅子
９．．．座部
１０．．．ガイド穴
１１．．．ガイド
１２．．．座面フレーム
１３．．．側面フレーム
１４．．．背面フレーム
１５．．．連結部
１６．．．連結部
１７．．．フック穴
１８．．．突起
１９．．．プーリ
２０．．．支重装置全体
２１．．．ベットの切欠部蓋
２２．．．軸
２３．．．背もたれ
【図１】
2004049664.tif 000003
【図２】
2004049664.tif 000004
【図３】
2004049664.tif 000005
【図４】
2004049664.tif 000006
【図５】
2004049664.tif 000007
【図６】
2004049664.tif 000008
【図７】
2004049664.tif 000009
【図８】
2004049664.tif 000010